(57)【要約】【課題】本発明は、読取動作の際にセットされる記録物の姿勢によらず、折り目部分に重なった画像部分の読取補正を適切に行うことができる読取装置の提供を目的とする。【解決手段】本発明の読取装置は、画像及び折り目部分に関する折り情報が記録され、折畳まれた状態から広げられた記録物に記録された画像及び前記折り情報を読み取る読取装置であって、画像の読取動作時に読み取った前記折り情報に基づいて記録物の前記折り目部分の読取補正を行うことを特徴とする。【選択図】  図９
2019220845.tif 000002
【特許請求の範囲】
【請求項１】
画像及び折り目部分に関する折り情報が記録され、折畳まれた状態から広げられた記録物に記録された画像及び前記折り情報を読み取る読取装置であって、画像の読取動作時に読み取った前記折り情報に基づいて記録物の前記折り目部分の読取補正を行うことを特徴とする読取装置。
【請求項２】
前記折り情報は、少なくとも１つのマークとされ、
前記少なくとも１つのマークは、前記折り目部分に記録され、
画像の読取動作時に読み取った前記マークに基づいて前記折り目部分を認識して前記折り目部分の読取補正を行うことを特徴とする請求項１に記載の読取装置。
【請求項３】
前記少なくとも１つのマークは、互いに異なる２つのマークとされ、
前記互いに異なる２つのマークは、それぞれ、記録物の前記折り目部分のうち山折り部分と、谷折り部分とに記録され、
画像の読取動作時に読み取った前記山折り部分に基づいて前記山折り部分の読取補正を行うとともに、読み取った前記谷折り部分に基づいて前記谷折り部分の読取補正を行うことを特徴とする請求項２に記載の読取装置。
【請求項４】
前記折り情報は、互いに異なる２つのマークとされ、
前記互いに異なる２つのマークは、記録物における画像領域以外の非画像領域に記録され、
画像の読取動作時に読み取った前記互いに異なる２つのマークに基づいて前記折り目部分を認識して前記折り目部分の読取補正を行うことを特徴とする請求項１に記載の読取装置。
【請求項５】
前記互いに異なる２つのマークは、それぞれ、記録物における上端側及び下端側の領域に記録され、
画像の読取動作時に読み取った前記互いに異なる２つのマークに基づいて記録物の上端及び下端並びに前記折り目部分を認識して前記折り目部分の読取補正を行うことを特徴とする請求項４に記載の読取装置。
【請求項６】
前記折り情報は、少なくとも前記折り目部分の位置及び前記折り目部分が山折り部分か谷折り部分かについての情報を含むマークとされ、
画像の読取動作時に読み取った前記マークに基づいて前記折り目部分の位置及び前記折り目部分が前記山折り部分か前記谷折り部分かを認識して前記折り目部分の読取補正を行うことを特徴とする請求項１に記載の読取装置。
【請求項７】
前記マークは、２次元コードとされていることを特徴とする請求項６に記載の読取装置。
【請求項８】
媒体に画像を記録して記録物を生成するとともに、媒体に記録物の折り目部分に関する折り情報を記録する記録装置と、
請求項１〜７の何れか１項に記載の読取装置と、を備えることを特徴とする画像処理システム。
【請求項９】
前記折り情報に基づいて記録物を折り畳む折畳機構と、
請求項１〜７の何れか１項に記載の読取装置と、を備えることを特徴とする画像処理システム。
【請求項１０】
媒体に画像を記録して記録物を生成するとともに、媒体に記録物の折り目部分に関する折り情報を記録する記録装置と、
前記折り情報に基づいて前記記録装置が生成した記録物を折り畳む折畳機構と、
請求項１〜７の何れか１項に記載の読取装置と、を備えることを特徴とする画像処理システム。
【請求項１１】
前記読取装置は、画像の読取動作時に読み取った読取情報を記憶可能とされ、
前記記録装置は、前記読取装置が記憶した前記読取情報に基づいて媒体に画像のみを記録可能とされていることを特徴とする請求項１０に記載の画像処理システム。
【請求項１２】
媒体に画像を記録して記録物を生成するとともに、媒体に記録物の折り目部分に関する折り情報を記録する記録工程と、
前記記録工程により記録された画像を読み取る読取工程であって、画像の読取動作時に前記折り情報に基づいて記録物の折り目部分の読取補正を行う読取工程とを含むことを特徴とする画像処理方法。
【請求項１３】
前記記録工程の後かつ前記読取工程の前に行う工程であって、前記折り情報に基づいて前記記録工程で生成した記録物を折り畳む折畳工程を含むことを特徴とする請求項１２に記載の画像処理方法。
【請求項１４】
前記読取工程では、画像の読取動作時に読み取った読取情報を記憶し、
前記読取工程の後に行う工程であって、前記読取情報に基づいて媒体に画像のみを記録する工程を含むことを特徴とする請求項１２又は１３に記載の画像処理方法。
【請求項１５】
コンピュータを、
媒体に画像を記録して記録物を生成するとともに、媒体に記録物の折り目部分に関する折り情報を記録する記録手段、及び、
前記記録手段により記録された画像を読み取る読取手段であって、画像の読取動作時に前記折り情報に基づいて記録物の折り目部分の読取補正を行う読取手段として機能させるためのプログラム。
【請求項１６】
前記コンピュータを、
前記折り情報に基づいて、前記読取手段による画像の読取動作の前に前記記録手段が生成した記録物を折り畳む折畳手段として機能させるための、請求項１５に記載のプログラム。
【請求項１７】
前記読取手段は、画像の読取動作時に読み取った読取情報を記憶し、
前記記録手段は、前記読取手段による画像の読取動作の後に、前記読取情報に基づいて媒体に画像のみを記録することを特徴とする請求項１５又は１６に記載のプログラム。
【発明の詳細な説明】
【技術分野】
【０００１】
本発明は、読取装置、画像処理システム、画像処理方法及びプログラムに関する。
【背景技術】
【０００２】
折り畳まれた記録物の画像を読取対象としてスキャナ等の読取装置を用いて読取動作をする場合、広げられた記録物の折り目部分が影となって画像に忠実な読取結果が得られないという問題がある。この問題を解決するために、折り目部分の画像の補正制御が多数提案されている。例えば、特許文献１には、予め定められた姿勢で読取装置にセットしてスキャンされる記録物の折り目部分の画像の濃度（画像濃度）を検知し、検知した画像濃度に基づいて画像濃度を補正制御する技術が開示されている。
【先行技術文献】
【特許文献】
【０００３】
【特許文献１】特開２００８−３１０１２３号公報
【発明の概要】
【発明が解決しようとする課題】
【０００４】
一般的に、折り畳まれた記録物の画像を読取対象として読取装置を用いて読取動作をする場合、ユーザが折り畳まれた記録物を広げ、さらに広げた記録物を手作業で読取装置にセットして、読取装置に読取動作をさせる。このため、ユーザは、読取装置への記録物のセット時に、読取装置の読取方向に対して記録物をその上下が逆となる姿勢又はその幅方向の右左が上下となる姿勢でセットする場合がある。これらの姿勢で読取装置にセットされた記録物の折り目部分の位置や折り目部分の種類（山折り部分又は谷折り部分）の位置は、予め定められた姿勢で読取装置にセットされた記録物の場合の各位置と同じにならない場合がある。
この場合に、特許文献１の技術では、折り目部分に重なった画像部分の適切な補正制御を行うことができない。
【０００５】
本発明の読取装置は、読取動作の際にセットされる記録物の姿勢によらず、折り目部分に重なった画像部分の読取補正を適切に行うことができる読取装置の提供を目的とする。
【課題を解決するための手段】
【０００６】
本発明の読取装置は、画像及び折り目部分に関する折り情報が記録され、折畳まれた状態から広げられた記録物に記録された画像及び前記折り情報を読み取る読取装置であって、画像の読取動作時に読み取った前記折り情報に基づいて記録物の前記折り目部分の読取補正を行うことを特徴とする。
【発明の効果】
【０００７】
本発明の読取装置は、読取動作の際にセットされる記録物の姿勢によらず、折り目部分に重なった画像部分の読取補正を適切に行うことができる。
【図面の簡単な説明】
【０００８】
【図１】第１実施形態の画像処理システムの全体構成を示すブロック図である。
【図２】第１実施形態の画像処理システムを構成する記録装置の斜視図である。
【図３】第１実施形態の記録装置の制御構成を示すブロック図である。
【図４】第１実施形態の折畳機構の構成を示す模式図である。
【図５】第１実施形態の読取装置の斜視図及び断面図である。
【図６】第１実施形態の読取装置の制御構成を示すブロック図である。
【図７】第１実施形態の記録動作及び折畳動作のフローチャートである。
【図８】第１実施形態の記録物の折り情報と折り目部との関係の説明図である。
【図９】第１実施形態の読取動作のフローチャートである。
【図１０】第２実施形態の記録物の折り目部と挿入方向との関係の説明図である。
【図１１】第２実施形態の記録物の折り情報と折り目部との関係の説明図である。
【図１２】第３実施形態の折り情報（マーク）の拡大図である。
【図１３】変形例の画像処理システムの全体構成を示すブロック図である。
【発明を実施するための形態】
【０００９】
＜第１実施形態＞  以下、第１実施形態について図面を参照しつつ説明する。図１は、本実施形態の画像処理システム１００の全体構成を示すブロック図である。本実施形態の画像処理システム１００（コンピュータの一例）は、記録装置２００（記録手段の一例）と、折畳機構５００と、読取装置６００（読取手段の一例）とを備えている。
記録装置２００は、ホスト装置１０１から送信される画像データを元に媒体Ｍ（図２（Ｂ）参照）に画像を記録して記録物Ｐ（図８参照）を生成するとともに、媒体Ｍに後述する折り情報を記録する。折畳機構５００は、前述の折り情報に基づいて記録装置２００が生成した記録物Ｐを折り畳む。読取装置６００は、記録装置２００により記録された画像を読み取る。画像の読取動作時において、読取装置６００は、媒体Ｍに記録された前述の折り情報に基づいて記録物Ｐの折り目部分の読取補正を行う。ここで、折り目部分とは、記録物Ｐの折り目（折られた直線部分）と折り目を挟む近傍の部分を意味する。すなわち、折り目を中心とする幅を有する帯状の部分のことをいう。読取装置６００が記録物Ｐから読み取って読取補正がなされた画像データ（以下、補正後の画像データという。）は、読取装置６００からホスト装置１０２に送信される。ここで、ホスト装置１０１及びホスト装置１０２は本実施形態の画像処理システム１００の構成要素とはされていないが、何れか一方又は両方を構成要素としてもよい。ホスト装置１０１とホスト装置１０２とは、同一のホスト装置であってもよい。
記録装置２００は、ホスト装置１０１から記録装置２００及び折畳機構５００に送信される、媒体Ｍの折り位置及び折り方に関する情報を含む折り情報を媒体Ｍに記録する付与機構２１０を有している。そして、本実施形態では、付与機構２１０により媒体Ｍに記録された折り情報を用いて、読取装置６００による折り目部分に重なる画像部分の読取補正が適切になされるようになっている。
【００１０】
図２（Ａ）は、本実施形態の記録装置２００の斜視図である。本実施形態の記録装置２００は、一例として、インクジェット装置である。記録装置２００は、その上側かつ後ろ側にセットされて前側に搬送される大判の媒体Ｍに、後述する記録ヘッド２０３（図２（Ｂ）参照）を用いて画像を記録する。記録ヘッド２０３は、開閉可能なアッパーカバー２０４の下側に配置されている。
図２（Ｂ）は、図２（Ａ）の記録装置２００のアッパーカバー２０４の下側の部分を中心とする一部の斜視図である。記録装置２００は、媒体Ｍを矢印Ｂ方向（副走査方向）に搬送するための搬送ローラ２０８と、媒体Ｍの幅方向（矢印Ａ方向、主走査方向）に往復移動可能に構成されているキャリッジユニット２０１とを有している。キャリッジユニット２０１には、インクを吐出する記録ヘッド２０３が搭載されている。
記録装置２００は、ホスト装置１０１から送信される画像データを受信すると、媒体Ｍを搬送ローラにより副走査方向に搬送しながら、キャリッジユニット２０１を主走査方向に往復移動させて、画像データに基づいて記録ヘッド２０３からインクを吐出させる。その結果、媒体Ｍには画像データに基づく画像が記録される。
【００１１】
図３は、本実施形態の記録装置の制御構成を示すブロック図である。本実施形態の記録装置２００は、制御構成の観点から見ると、負荷側システム４００と電源ユニット４０１とから構成されている。
電源ユニット４０１は、ＡＤ／ＤＣ変換回路４０２を有し、商用電源に接続される。ＡＣ／ＤＣ変換回路４０２は、商用電源からの入力電圧を変換し、変換後の電圧を負荷側システム４００へ供給する。ＤＣ／ＤＣ変換回路４０３は、ＡＣ／ＤＣ変換回路４０２が出力する直流出力電圧を、負荷側システム４００の各ブロックが必要とする所定の直流電圧に変換し、出力しかつ分配する機能を備え、スイッチングレギュレータ及びその周辺回路で構成される。コントローラ４０４は、主制御部である。コントローラ４０４は、一例として、ＣＰＵ４０５と、ＲＯＭ４０６と、ＲＡＭ４０７と、ＥＥＰＲＯＭ４０８とを有する。ここで、ＣＰＵ４０５はマイクロ・コンピュータであり、ＲＯＭ４０６はプログラムや所要のテーブルその他の固定データを格納し、ＲＡＭ４０７は画像データを展開する領域や作業用の領域等を設けている。また、ＥＥＰＲＯＭ４０８は後述する電圧モニタ値や記録ヘッド２０２及び記録装置２００の動作履歴情報を格納する、不揮発性メモリである。
【００１２】
ホスト装置１０１は、記録装置２００の外部に接続された画像データの供給源であり、画像データの作成、処理等を行うコンピュータの他、画像読み取り用のリーダ部等の形態であってもよい。画像データ、その他のコマンド、ステータス信号等は、Ｉ／Ｆ４０９を介してコントローラ４０４との間で送受信される。ここで、Ｉ／Ｆは、インタフェースの略語である。コントローラ４０４は、前述した付与機構２１０にホスト装置１０１から送信された折り位置や折り方といった、記録物Ｐの折り目部分に関する折り情報を解析させる。また、コントローラ４０４は、折り情報を画像データに変換し、ホスト装置１０１から受信した画像データに折り情報が変換された画像データを加算する制御も行う。操作部４１０は、ユーザによる指示入力を受容するスイッチ群である。操作部４１０には、電源スイッチ４１１、記録ヘッド２０３のクリーニング動作を指示するための回復スイッチ４１２がある。
【００１３】
センサ群４１３は、記録装置２００の状態を検出するための検出群である。センサ群４１３は、キャリッジユニット２０１に搭載されているエンコーダセンサ３０５、光学式センサ３１２、ホームポジションを検出するためのフォトインタラプタ４１４、記録ヘッド２０３の不吐ノズルを検出する不吐検出センサ４１５を有する。ヘッドドライバ４１７は、画像データ等に応じて記録ヘッド２０３内の各記録素子４１８を駆動するドライバである。ヘッドドライバ４１７は、画像データを記録ヘッド２０３内の各記録素子４１８の位置に対応させて整列させるシフト・レジスタ、適宜のタイミングでラッチするラッチ回路などを有している。さらに、ヘッドドライバ４１７は、駆動タイミング信号に同期して記録素子４１８を作動させる論理回路素子や、記録位置を調整するために駆動タイミング（吐出タイミング）を適切に設定するタイミング設定部、温度センサ４１６等を有する。モータドライバＡ４１９は、キャリッジモータ４２０を駆動するドライバである。モータドライバＢ４２１は、記録媒体を搬送するために用いられる搬送モータ４２２を駆動するドライバである。モータドライバＣ４２３は、回復ユニットに搭載されるポンプモータ４２４を駆動するドライバである。
【００１４】
図４は、折畳機構５００の構成を示す模式図である。折畳機構５００は、記録装置２００で生成した記録物を、持ち運びや収納の利便性のために、ホスト装置１０１から送信された折り情報に基づき折畳む機構である。折畳機構５００は、検知センサ５０２と、搬送ローラ対５０３、５０４と、ジャバラ折り部５０５とを備えている。
折畳機構５００は、ホスト装置１０１から折り情報を受信し、挿入口５０１にセットされ搬送される記録物Ｐを検知センサ５０２が検知すると、搬送ローラ対５０３、５０４を駆動させて記録物Ｐをジャバラ折り部５０５に搬送する。検知センサ５０２は、挿入口５０１から挿入されて搬送される記録物Ｐを検知する。搬送ローラ対５０３、５０４は、挿入口５０１からジャバラ折り部５０５に記録物Ｐを搬送する。ジャバラ折り部５０５は、搬送ローラ対５０３、５０４により搬送された記録物Ｐを折畳む。ジャバラ折り部５０５は、送り込まれた記録物Ｐの先端の進行方向を偏向させる偏向部５０６と、搬送ローラ対５０７、５０８と、折畳まれ中の記録物Ｐの折り幅を検出する折り幅検知センサ５０９、５１０とを有している。偏向部５０６、搬送ローラ対５０７、５０８及び折り幅検知センサ５０９は、折り情報に基づいて作動されて、例えばジャバラ折りの折り目と直交する方向に再度折り目をつけるクロス折り等を行い記録物ＰをＡ４等の規格サイズに折り畳む。そして、ジャバラ折り部５０５による記録物Ｐの折畳みが完了すると、排出口５１１から折畳まれた記録物Ｐが排出される。なお、ホスト装置１０１から折畳機構５００に送信される折り情報は記録装置２００に送信される情報と同じ情報である。すなわち、記録装置２００と折畳機構５００とは、同じ折り情報を共有する。
【００１５】
図５（Ａ）は、本実施形態の読取装置６００の斜視図である。図５（Ｂ）は、図５（Ａ）の読取装置６００を側面側（後述する操作部６０４側）から見た断面図である。本実施形態の読取装置６００は、記録物Ｐを定められた方向に搬送させながら記録物Ｐに記録された画像をラインセンサにより読み取るスキャナとされている。
読取装置６００は、上側カバー６０１と、サイドカバー６０２、６０３と、操作部６０４と、スイッチ６０５と、リリースレバー６０６と、給紙口６０７と、原稿台６０８とを備えている。また、読取装置６００は、検知センサ６１３、６１４と、上流側の搬送ローラ６２０と、下流側の搬送ローラ６３０と、制御基板６５０と、ガラス板６６０と、イメージセンサ６７０とを備えている。イメージセンサ６７０は、一例として、いわゆるライン型のＣＩＳ方式のセンサである。本実施形態の読取装置６００は、ユーザに操作されつつ、ユーザが記録物Ｐをセットに対して読取動作を行う。この場合、制御基板６５０が読取装置６００全体の制御を司る。
【００１６】
まず、ユーザがスイッチ６０５をオンにして読取装置６００が使用可能な状態になると、ユーザは折畳機構５００により折畳まれた記録物Ｐを広げ、広げた記録物Ｐを給紙口６０７に対して定められた位置にセットする。この場合、ユーザは、検知センサ６１３、６１４よりも記録物Ｐの搬送方向の下流側に位置する搬送ローラ６２０に記録物Ｐの先端が突き当たるようにセットする。そして、検知センサ６１３、６１４が記録物Ｐを検知すると、搬送ローラ６２０、６３０が記録物Ｐの搬送を開始する。読み取り位置とされるガラス板６６０を通過する記録物Ｐはガラス板６６０に押圧され、記録物Ｐに記録された画像はイメージセンサ６７０により読み取られる。その後、記録物Ｐは、搬送ローラ６２０、６３０により搬送されて排紙口６４０から排出され、読取装置６００による読取動作が終了する。
【００１７】
図６は、本実施形態の読取装置６００の制御構成を示すブロック図である。制御基板６５０には、読取装置６００全体の制御を司るコントローラ８００が配置されている。制御基板６５０は、外部のホスト装置１０２との通信に関する制御も行う。
イメージセンサ６７０にて光電変換されたアナログ電気信号は、ＣＤＳ(相関２重サンプリング回路）などのサンプル／ホールド回路を含むＡＦＥ回路８０１によってゲイン調整、ＤＣオフセット調整された後、デジタル電気信号に変換される。シェーディング補正回路８０２は、光学系の配光特性を補正するための回路である。画像処理回路８０３は、ガンマ変換処理やホスト装置１０２から予め設定された画像読取モードに従うパッキング処理を行う。読取モードとして「２４ビット」が指定された場合には、Ｒ、Ｇ、Ｂの３つのＬＥＤを順次駆動し、ＲＧＢ各成分の画素を８ビットとしてライン単位、すなわち、Ｒ成分、Ｇ成分及びＢ成分の１ラインデータの順に読み出す。インタフェース回路８０４は、ホスト装置１０２との間でコントロール信号の送受信及び画像信号の出力を行う。ＬＥＤドライバ８０５は、コントローラ８００の制御下において、イメージセンサ６７０内の導光部８０６に収容されたＲ、Ｇ、Ｂの３つのＬＥＤの駆動信号を出力する。モータドライバ８０７は、イメージセンサ６７０の副走査方向の移動を行うモータ８０８への駆動信号を発生する。メモリバッファ８０９は、一時的に画像データを格納するための領域である。メモリバッファ８０９は、一例として、数ライン分の画像データが格納可能である。格納された画像データは、コントローラ８００の制御下で、予め設定されたパターンと一致しているか否かを判定するパターンマッチング機能や詳細な解析処理が可能となるように構成されている。
以上のとおり、記録装置２００と読取装置６００とは別体であるとして説明したが、記録装置２００と読取装置６００とは別体でなくてもよい。記録装置２００と読取装置６００とは、いわゆるＭＦＰ（ＭｕｌｔｉＦｕｎｃｔｉｏｎ Ｐｒｉｎｔｅｒ）のように、一体であってもよい。
【００１８】
図７は、本実施形態の記録動作及び折畳動作のフローチャートである。
まず、ユーザが記録装置２００及び折畳機構５００を使用して折畳まれた記録物Ｐを作成する場合、ユーザは、ホスト装置１０１を用いて記録物Ｐの折り目部分に関する情報、すなわち、折り情報を設定する（Ｓ９００）。具体的には、ユーザは、ホスト装置１０１の入力のためのユーザ・インターフェイスを用いて、例えば、四つ折り、八つ折り等の折数、又は、Ａ４サイズ等の折畳まれた後のサイズを入力する。
次いで、ユーザによるホスト装置１０１での折り情報が入力されると、Ｓ９００では折畳機構５００を使用する、すなわち、Ｓ９００で肯定判断がされたと判断される。この場合、ホスト装置１０１は、画像データと折り情報とを記録装置２００に送信する（Ｓ９１０）。また、ホスト装置１０１は、折り情報を折畳機構５００に送信する（Ｓ９２０）。こうすることで、記録装置２００と折畳機構５００とは同じ折り情報を送信されることになる。なお、Ｓ９１０とＳ９２０とは、逆の順で行われても同時に行われてもよい。
次いで、記録装置２００は、Ｓ９１０において受信した折り情報を、コントローラ８００内に格納されているプログラム、ＣＰＵ４０５及びＲＡＭ４０７を用いて解析し、折り情報の画像データに変換する（Ｓ９３０）。
次いで、記録装置２００は、Ｓ９３０で変換した折り情報の画像データを、ホスト装置１０１から受信した画像データに加算する。その結果、新たな画像データが生成される（Ｓ９４０）。
【００１９】
次いで、記録装置２００は、Ｓ９４０で生成された新たな画像データに基づいて媒体Ｍに記録動作を実施する（Ｓ９５０）。その結果、記録装置２００は、折畳まれる前の記録物Ｐを生成する。
ここで、図８は、媒体Ｍに本実施形態の折り情報に基づく画像（■マーク及び□マーク）が記録された記録物Ｐの一例である。図８の記録物Ｐでは、便宜上、画像データに基づく画像が省略されている。また、図８では、この後に折畳機構５００により山折りされる部分には破線が付され、谷折りされる部分には一点鎖線が付されているが、記録装置２００による記録後かつ折畳機構５００による折畳み前の記録物Ｐには、破線も一点鎖線も付されていない。本実施形態の場合、折り情報に基づく画像は何れも余白部分の折り目部となる部分に記録される。折り情報に基づく画像のうちの一方のマーク（■マーク）は谷折り部分となる直線状の部分の両端側に２箇所記録され、他方のマーク（□マーク）は山折り部分となる直線状の部分の両端側に２箇所記録される。
【００２０】
次いで、折畳機構５００は、記録装置２００によりＳ９５０で生成された記録物Ｐを、ステップＳ９２０で受信した折り情報に基づいて折畳む（Ｓ９６０）。そして、折畳機構５００により折畳まれた記録物Ｐが生成されると、本実施形態の記録動作及び折畳動作が終了する。記録装置２００から折畳機構５００への記録物Ｐのセットはセット用の機構（図示省略）を用いて自動的に行われるようにしてもよい。
【００２１】
なお、Ｓ９００で否定判断がされた場合、すなわち、折畳機構５００を使用しない場合、ホスト装置１０１は、画像データを記録装置２００に送信する（Ｓ９７０）。
次いで、画像データを受信した記録装置２００は、画像データに基づいて記録動作を実施する（Ｓ９８０）。そして、記録動作が終了すると、折畳動作を行わずに、本実施形態の記録動作及び折畳動作を終了する。
【００２２】
図９は、本実施形態の読取装置６００による読取動作のフローチャートである。まず、読取装置６００は、ユーザにより広げられてセットされた記録物Ｐを一度スキャンして（プレスキャンして）、記録物Ｐに折り情報（の画像）が記録されているか否かを検出する（Ｓ１４００）。この場合、読取装置６００は、プレスキャンして読み取ったデータをメモリバッファ８０９（図６参照）に一旦格納する。すなわち、メモリバッファ８０９は、読み取ったデータ（画像データ）を記憶可能とされている。
次いで、読取装置６００は、Ｓ１４００で検出してメモリバッファ８０９に格納した折り情報のデータから、折り情報の画像データの検出処理を行う（Ｓ１４１０）。図８の記録物Ｐに対してＳ１４００のスキャンをした場合、折り情報に相当する、４箇所に記録された■マークと、２箇所に記録された□マークとが検出されることになる。この場合、Ｓ１４１０で肯定判断がなされる。
Ｓ１４１０で肯定判断がなされた場合、読取装置６００は、折り情報から折り位置と折り方情報をデコードし、記録物Ｐの折り目部を算出する（Ｓ１４２０）。図８の記録物Ｐの場合は、４箇所に記録された■マークと、２箇所に記録された□マークと、これらのマークの位置関係とから、記録物Ｐがその長さ方向の中央で山折りとされ、中央で半分に折られた記録物Ｐが更に同じ方向に半分に折られたことが理解される。すなわち、Ｓ１４１０では、折り目部の位置及び折り目部の種類（山折り又は谷折り）が算出される。
次いで、読取装置６００は、ユーザによりプレスキャン時と同じ姿勢でセットされた記録物Ｐを再度スキャンする。その結果、読取装置６００は、折り目部の画像を読み取る（Ｓ１４３０）。
【００２３】
次いで、読取装置６００は、Ｓ１４２０で算出した記録物Ｐの折り目部の画像の補正制御を実施する。例えば、山折り部分の画像の画像濃度が高めに読み取られ、谷折り部分の画像の画像濃度が低めに読み取られる等の傾向がある場合、山折り部分の画像は実際よりも低めになるように補正され、谷折り部分の画像は実際よりも高めになるように補正される。すなわち、Ｓ１４３０では折り方に応じた画像の補正がなされる。なお、補正制御の方法は、特許文献１に記載されているような、折り目部分の濃度を決められた閾値と比較して制御する方法でもよく、その他の方法でもよい。また、Ｓ１４４０において、読取装置６００が補正した後の画像データ（マークを除く）は、メモリバッファ８０９に記憶される。そして、Ｓ１４４０が終了すると、読取装置６００は本実施形態の読取動作を終了する。
これに対して、Ｓ１４１０で否定判断がなされた場合は、折り目部がない記録物Ｐ、すなわち、折畳まれていない記録物Ｐの読取動作をする場合となるため、折り目部に重なる画像の読取補正をする必要がない。そのため、Ｓ１４１０〜Ｓ１４４０を実施することなく、読取装置６００は、読み取った画像データをメモリバッファ８０９に記憶して、本実施形態の読取動作を終了する。
【００２４】
次に、本実施形態の効果について説明する。本実施形態の画像処理システム１００は、記録装置２００と、読取装置６００とを備えている。記録装置２００は、媒体Ｍに画像を記録して記録物Ｐを生成するとともに、媒体Ｍに記録物Ｐの折り目部分に関する折り情報を記録する。読取装置６００は、記録装置２００により記録された画像の読取動作時に折り情報に基づいて記録物Ｐの折り目部分に重なる画像の読取補正を行う。
具体的には、記録装置２００は、折り情報としてのマーク（□マーク及び■マーク）を、媒体Ｍの折り目部分となる部分に記録する（図８参照）。そして、読取装置６００は、画像の読取動作時に□マーク及び■マークの一方又は両方に基づいて折り目部分を認識して折り目部分の読取補正を行う。この場合、互いに異なる２つのマーク（□マーク及び■マーク）は、一方が媒体Ｍの山折り部分となる部分に他方が谷折り部分となる部分に記録されてる（図８参照）。そのため、読取装置６００は異なる２つのマークを検出することにより折り目部の位置及び折り目部の種類を容易に認識することが可能となる。
したがって、本実施形態によれば、読取動作の際に読取装置６００にセットされる記録物Ｐの姿勢によらず、折り目部分に重なった画像部分の読取補正を適切に行うことができる。
本実施形態の読取装置６００は、画像の読取動作時に読み取った画像データ（読取情報）を記憶可能なメモリバッファ８０９を有している。また、記録装置２００は、メモリバッファ８０９に、補正した後の画像データ（マークを除く）を記憶する。そのため、記録装置２００は、当該画像データを用いて記録動作を行う場合、折り情報のない補正の画像データに基づく画像のみを媒体Ｍに記録可能となる。
【００２５】
＜第２実施形態＞
次に、第２実施形態について図１０及び図１１を参照しつつ説明する。本実施形態において第１実施形態の構成要素を用いる場合は、同じ名称及び同じ符号を用いて説明する。
本実施形態は、例えば、記録物Ｐの折畳み方がいわゆる八つ折り等の場合に、折り目部を構成する線分に山折り部分と谷折り部分とが混在する場合の形態である。
図１０（Ａ）は、本実施形態の記録物Ｐの折り目部と読取装置６００への挿入方向との関係を説明する模式図である。図１０（Ｂ）は、各挿入方向の姿勢で記録物Ｐを読取装置６００にセットした状態を示す模式図である。図１０（Ａ）及び（Ｂ）に示すように、本実施形態の記録物Ｐは、折り目部を構成する各線分に、山折り部分と谷折り部分とが混在している。そのため、本実施形態の記録物Ｐに第１実施形態の折り情報（マーク）を記録すると、記録物Ｐの画像が形成される領域にマークが付されることになる。
本実施形態では、後述するように、記録物Ｐの余白（画像が形成されない領域）の先端部分（上端側の領域）及び後端部分（後端側の領域）にそれぞれ折り情報に関する２つのマークをまとめて記録する。
図１１（Ａ）は、本実施形態の記録物Ｐの折り目部と、読取装置６００への挿入方向と、折り情報（マーク）との位置関係を説明する模式図である。図１１（Ｂ）は、各挿入方向で記録物Ｐを読取装置６００にセットした状態を示す模式図である。図１１（Ａ）及び（Ｂ）の記録物Ｐでは、便宜上、画像データに基づく画像が省略されている。また、図１１（Ａ）及び（Ｂ）では、この後に折畳機構５００により山折りされる部分には破線が付され、谷折りされる部分には一点鎖線が付されている。しかし、記録装置２００による記録後かつ折畳機構５００による折畳み前の記録物Ｐには、破線も一点鎖線も付されていない。ここで、図中の○マーク及び●マークが記録物Ｐにおける折り情報に関するマークである。○マーク及び●マークは、○マーク及び●マークの一方を折り目部の開始座標、他方を折り目部の終了座標並びに折り方の情報（例えば、八つ折りである等）としている。
【００２６】
本実施形態の記録動作及び折畳動作は、第１実施形態の場合（図７参照）に準じる。
次に、本実施形態の読取動作について説明する。本実施形態の読取動作も第１実施形態の場合（図９参照）に準じるが、以下の点で異なる。本実施形態の場合、Ｓ１４１０において、読取装置６００は、メモリバッファ８０９に格納した折り情報のデータから折り情報の画像データの検出処理を行う場合に、以下のように実施する。すなわち、読取装置６００は、Ｓ１４００で読み取ってメモリバッファ８１０に格納された折り情報に関する画像データを９０度回転させながら、当該画像データとホスト装置１０１０から受信した折り情報に関する画像データとを最大４回パターンマッチングする。その結果、読取装置６００は、読取装置６００への記録物Ｐのセットされた状態が図１１（Ｂ）のＡ〜Ｄの何れかの状態であるかを認識する。本実施形態が第１実施形態と異なる点は以上のとおりである。
【００２７】
以上のとおり、本実施形態の場合、折り情報は互いに異なる２つのマークとされ、記録装置２００は媒体Ｍの非画像領域（画像領域以外の領域）に当該２つのマークを記録する。そして、読取装置６００は、当該２つのマークに基づいて折り目部分を認識して折り目部分の読取補正を行う。具体的には、記録装置２００は媒体Ｍの上端側及び下端側の領域にそれぞれ折り情報に関する２つのマークを記録し、読取装置６００は前記２つのマークに基づいて記録物Ｐの上端及び下端並びに前記折り目部分を認識して折り目部分の読取補正を行う。したがって、本実施形態は、折り目部を構成する１つの線分に山折り部と谷折り部とが混在する場合であっても、画像領域に折り情報に関するマークを付することなく、適切な折り目部の読取補正をすることができる。本実施形態のその他の効果は、第１実施形態の効果と同じである。
【００２８】
＜第３実施形態＞
次に、第３実施形態について図１２を参照しつつ説明する。本実施形態において第１実施形態及び第２実施形態の構成要素を用いる場合は、同じ名称及び同じ符号を用いて説明する。
図１２は、本実施形態の折り情報に関するマークの拡大図である。本実施形態のマークは、ヘッダ１３００と、第１情報部１３０１と、第２情報部１３０２と、フッダ１３０３とを含む２次元マトリックスのドットで構成されている。ここで、ヘッダ１３００は、一例として、当該マークが折り情報の画像データであることを表す。第１情報部１３０１は、一例として、複数の折り方並びに折り目開始位置のＸ座標及びＹ座標を表す。第２情報部１３０２は、一例として、折り方並びに折り目終了位置のＸ座標及びＹ座標を表す。
記録物ＰのＸ方向（横方向）の部分は、山折りと谷折りとを識別する折り方情報１３０４（ここでは■＝１が山折りを表す）と、２進１２ビットで表される座標情報１３０５とが含まれている。具体的には、第１情報部１３０１及び第２情報部１３０２は、以下の情報を示している。
具体的には、第１情報部１３０１は、（１）山折り、（２）１段目が折り目開始位置Ｘ＝０（ｍｍ）、（３）２段目がＹ＝２,０００（ｍｍ）を示している。第２情報部１３０２は、（１）山折り、（２）１段目が折り目終了位置Ｘ＝１,５２４（ｍｍ）、（２）２段目がＹ＝２，０００（ｍｍ）を示している。
本例では、１ｍｍ単位で折り位置を表しているが、折畳機構５００の精度を考慮してより低い精度とすれば、折り情報に関する情報量を低減することが可能となる。
以上のとおり、本実施形態の折り情報に関するマークは、少なくとも折り目部分の位置及び折り目部分の種類についての情報を含む。
本実施形態の折り情報に関するマークは、第２実施形態の場合と同様に、媒体Ｍの余白に記録される。本実施形態の記録動作及び折畳動作は、第１実施形態の場合に準じる。また、本実施形態の読取動作は、第２実施形態の場合に準じる。
本実施形態が第１実施形態及び第２実施形態と異なる点は、以上のとおりである。
【００２９】
以上のとおり、本実施形態によれば、１つのマークに複数の又はすべての折り情報を含ませることができる。したがって、本実施形態によれば、折り情報に関するマークを１つにすることができる。本実施形態のその他の効果は、第１実施形態及び第２実施形態の場合と同様である。
【００３０】
以上のとおり、本発明について第１〜第３実施形態を例として説明したが、本発明の技術的範囲はこれらの実施形態に限定されるものではない。
例えば、各実施形態の記録装置２００は、いわゆるシリアルスキャン型のインクジェット記録装置であるとして説明した。しかしながら、媒体Ｍに画像及び折り情報に関するマークを記録することができれば、記録装置の一例はいわゆるワイドフォーマット型のインクジェット装置であってもよい。また、記録装置の一例はインクジェット記録装置以外の記録装置であってもよい。例えば、電子写真装置、オフセット印刷装置その他の記録装置であってもよい。
各実施形態では、画像処理システム１００は、記録装置２００と、折畳機構５００と、読取装置６００とを備えているとして説明した。しかしながら、本発明の画像処理システムが読取装置６００とを備えていれば、記録装置２００と折畳機構５００とを備えていなくてもよい。また、各実施形態の説明では、ホスト装置１０１、１０２は、それぞれ記録装置２００及び読取装置６００とは別の装置であるとして説明した。しかしながら、ホスト装置１０１、１０２を記録装置２００及び読取装置６００の一方又は両方の一部に組み込んでもよい。
第３実施形態では、図１２に示す２次元コードを折り情報に関するマークにするとして説明した。しかしながら、１つのマークに複数の情報を含ませることができれば、２次元コードは第３実施形態と異なるコードであってもよい。例えば、２次元バーコード、ＱＲコード（登録商標）その他の２次元コードであってもよい。
各実施形態では、折り情報をホスト装置１０１から記録装置２００と折畳機構５００とに送信するとして説明した（図１参照）。しかしながら、図１３に示すように、折り情報をホスト装置１０１から記録装置２００に送信し、記録装置２００がホスト装置１０１から受信した折り情報を折畳機構５００に送信する構成としてもよい。
各実施形態では、記録装置２００が折り情報を画像データに変換して媒体Ｍに記録するとして説明した。しかしながら、折畳機構５００に折り情報に関するマークを媒体Ｍに記録できる機能を持たせてもよい。すなわち、折畳機構５００に、付与機構２１０を持たせてもよい。この場合、記録装置の一例は、付与機構２１０を有さない記録装置２００と、折畳機構５００の付与機構２１０との組み合せとなる。
各実施形態は、それぞれ独立した形態であるかの如く説明したが、１つの画像処理システム１００がすべての実施形態を実施できる構成にしてもよい。
【符号の説明】
【００３１】
１００        画像処理システム
２００        記録装置（記録手段の一例）
６００        読取装置（読取手段の一例）
Ｍ            媒体
Ｐ            記録物
【図１】
2019220845.tif 000003
【図２】
2019220845.tif 000004
【図３】
2019220845.tif 000005
【図４】
2019220845.tif 000006
【図５】
2019220845.tif 000007
【図６】
2019220845.tif 000008
【図７】
2019220845.tif 000009
【図８】
2019220845.tif 000010
【図９】
2019220845.tif 000011
【図１０】
2019220845.tif 000012
【図１１】
2019220845.tif 000013
【図１２】
2019220845.tif 000014
【図１３】
2019220845.tif 000015